(57)【要約】スキンケア製品携帯器具が開示されている。一実施態様において、本器具は、支持体カバーと、支持体カバーに剥離可能に付着させられる製品支持体と、製品支持体に形成され、支持体カバーの対応する穴から突出する、間隔をあけて配置された複数の空洞と、空洞を密封する剥離可能なカバーと、各空洞内の一定量のスキンケア液と、を有してなる。このように本器具は、一定期間にわたる個人のスキンケアに適したすべてのスキンケア製品を携行するための、小型で、効率的で、衛生的で、中身が漏れない装置を提供する。別の実施態様は、さまざまな密閉様式、包装形態、ならびに期間または機能によって編成される少量製品を提供する。【特許請求の範囲】
【請求項１】
支持体カバーと、
前記支持体カバーに剥離可能に付着させられる製品支持体と、
前記製品支持体に形成され、間隔をあけて配置された複数の空洞と、
前記各空洞内の所定量のスキンケア製品と、
前記空洞を覆うシールと、
を有することを特徴とするスキンケア製品携帯器具。
【請求項２】
前記空洞のそれぞれに機能の異なるスキンケア液が入っていることを特徴とする請求項１に記載のスキンケア製品携帯器具。
【請求項３】
異なる各スキンケア液が、特定期間に生じ得る異なるスキンケアニーズに対処するものである請求項１に記載のスキンケア製品携帯器具。
【請求項４】
前記支持体カバーが、
空洞が突出できる複数の穴を備え、閉合タブを受け入れるスロットおよび折り畳み可能な刻み線をさらに有する平坦なシートと、
前記シートから外方向に延びる閉合タブとを有し、
前記カバーを前記刻み線に沿って折り、前記閉合タブを前記スロットに差し込むことによって、前記カバーが前記シートと前記空洞を剥離可能に閉じるものである請求項１に記載のスキンケア製品携帯器具。
【請求項５】
前記支持体カバーが第１の部分と第２の部分とを有し、前記第１の部分は、第１の時間中に使用するための第１のスキンケア製品セットを保持する、前記製品支持体に設けられた第１の複数の空洞と関連付けられ、前記第２の部分は、第１の時間中に使用するための第２のスキンケア製品セットを保持する、前記製品支持体に設けられた第２の複数の空洞と関連付けられている請求項１に記載のスキンケア製品携帯器具。
【請求項６】
前記製品支持体が、朝の時間中に使用するためのスキンケア製品を保持する第１の複数の空洞と、午後または夜の時間中に使用するためのスキンケア製品を保持する第２の複数の空洞とを有する請求項１に記載のスキンケア製品携帯器具。
【請求項７】
前記製品支持体が、第１の活動中に使用するための第１のスキンケア製品セットを保持する第１の複数の空洞と、第２の活動中に使用するための第２のスキンケア製品セットを保持する第２の複数の空洞とを有する請求項１に記載のスキンケア製品携帯器具。
【請求項８】
前記シールが、すべての空洞を覆う、ただ１つの平坦な密封材シートを含む請求項１に記載のスキンケア製品携帯器具。
【請求項９】
前記シールが複数の個別シールを含み、前記個別シールのそれぞれが、異なる１つの前記空洞に形成される請求項１に記載のスキンケア製品携帯器具。
【請求項１０】
空間をあけて配置された第１の複数の空洞、および空間をあけて配置された第２の複数の空洞が形成された、水を通さない平坦な製品支持体と、
前記空洞に付着させられた、１度だけ剥離できるシールと、
前記第１の複数の空洞内に配置され、それぞれが機能的に異なっており、第１の時間中に使用するのに適した第１のスキンケア製品セットと、
前記第２の複数の空洞内に配置され、それぞれが機能的に異なっており、第２の時間中に使用するのに適した第２のスキンケア製品セットと、
を有するスキンケア製品を提供するための使い捨てパッケージ。
【請求項１１】
前記製品支持体を受容および包囲する支持体カバーをさらに有し、前記支持体カバーが、
空洞が突出できる複数の穴が形成され、閉合タブを受け入れるスロットおよび折り畳み可能な刻み線を有する平坦なシートと、
前記シートから外方向に延びる閉合タブとを有し、
前記カバーを前記刻み線に沿って折り、前記閉合タブを前記スロットに差し込むことによって、前記カバーが前記シートと前記空洞を剥離可能に閉じるものである
請求項１０に記載の使い捨てパッケージ。
【請求項１２】
前記第１の部分は、朝または昼の時間中に使用するためのスキンケア製品を担持し、前記第２の部分は、午後または夜の時間中に使用するためのスキンケア製品を担持する請求項１０に記載の使い捨てパッケージ。
【請求項１３】
前記第１の部分は第１の活動中に使用するためのスキンケア製品を担持し、前記第２の部分は第２の活動中に使用するためのスキンケア製品を担持する請求項１０に記載の使い捨てパッケージ。
【請求項１４】
前記シールが、すべての空洞を覆う、ただ１つの平坦な密封材シートを含む請求項１０に記載の使い捨てパッケージ。
【請求項１５】
前記シールが複数の個別シールを含み、前記個別シールのそれぞれが、異なる１つの前記空洞に形成される請求項１０に記載の使い捨てパッケージ。
【請求項１６】
前記各空洞に、特定の時間に完全単独使用するのに十分な、予め測定された量のスキンケア製品が入っている請求項１０に記載の使い捨てパッケージ。
【請求項１７】
支持体カバーを形成するステップと、
間隔をあけて配置された複数の空洞が設けられた製品支持体を形成するステップと、
所定量のスキンケア製品を前記各空洞に充填するステップと、
剥離可能なシールを前記空洞の上に付着させるステップと、
前記製品支持体を前記支持体カバーに付着させるステップと、
を有してなるスキンケア製品携帯器具の製造方法。
【請求項１８】
前記充填ステップは、機能的に異なるスキンケア液を前記各空洞に充填するステップを含む請求項１７に記載のスキンケア製品携帯器具の製造方法。
【請求項１９】
前記充填ステップは、機能的に異なるスキンケア液を前記各空洞に充填するステップを含み、異なる各スキンケア液は、或る期間に生じ得る異なるスキンケアニーズに対処するものである請求項１７に記載のスキンケア製品携帯器具の製造方法。
【請求項２０】
前記製品支持体を形成するステップは、空洞が形成され、閉合タブを受け入れるスロットを有する平坦なシートを形成するステップを含み、
前記支持体カバーを形成するステップは、前記シートから外方向に延在し、折り畳み可能な刻み線によってシートとつながっており、閉合タブが延び出しているカバーを形成するステップを含み、
前記カバーを前記刻み線に沿って折り、前記閉合タブを前記スロットに差し込むことによって、前記カバーが前記シートと前記空洞を剥離可能に閉じる
請求項１７に記載のスキンケア製品携帯器具の製造方法。
【請求項２１】
前記各空洞に、特定の時間に完全単独使用するのに十分な、予め測定された量のスキンケア製品が入っている請求項１に記載のスキンケア製品携帯器具。
【請求項２２】
前記製品支持体は、約４インチ（約１０ｃｍ）より大きい横寸と、約１０インチ（約２５ｃｍ）より小さい縦寸を有し、前記各空洞に、特定の時間に完全単独使用するのに十分な、予め測定された量のスキンケア製品が入っている請求項１に記載のスキンケア製品携帯器具。
【発明の詳細な説明】
【関連出願の説明（優先権の主張）】
【０００１】
本件は、３５  Ｕ．Ｓ．Ｃ．  §１１９（ｅ）に従って、２００１年２月２日提出の特許文献１（代理人整理番号第６００３４−００１１号）および２００１年９月７日提出の特許文献２（代理人整理番号第６００３４−００１２号）の仮出願の早期出願日確定の利益を請求するものである。本明細書における引用をもって、上記仮特許出願の内容全体がここに完全に記載されているものとする。
【技術分野】
【０００２】
本発明は、広義には、多数のスキンケア製品および同様製品を支持し、保存し、運搬することに関する。本発明は、特にスキンケア製品の携帯器具に関する。
【背景技術】
【０００３】
スキンケア製品を自宅または外出先で持ち運んで使用する、より良い方法が必要とされている。各人が、機能的に異なる何種類かのスキンケア製品を日別に、また１日のそれぞれ別の時間に使用することが必要な場合もある。例えば、ある個人は、クレンジング剤、モイスチャライジング・ローション、トーニング・ローション、アイトリートメント、リップクリーム、日焼け止めローション、収れん洗浄剤、または他の製品を使用するかもしれない。これらの製品のうちのいくつかは朝に使用されるかもしれないが、他は午後または夜に使用される。適切な時間に適切な製品を使用できるようにすることは面倒な仕事となる。
【０００４】
従来の一手法では、個人が各スキンケア製品の独立した個別容器を入手し、旅行、外出、および出張中に携行する。しかしながら、スキンケア製品の独立した個別容器を使用するというのは、厄介で面倒になりがちである。液体製品の場合、特に航空機のような減圧状態の隔室で製品が運搬されると、こぼれたり漏れたりする可能性がある。また、このような個別容器はスペースを過大に要し、それらを持ち運ぶのに大きな袋または他の容器を用意する必要がある。
【０００５】
これらの問題は外出または旅行時に深刻となる。例えば、短い旅行では、特定の時間に指定量の各製品しか必要でないかもしれないが、それでもなお、必要時に指定量を使用できるようにするだけのために複数の大型容器を持ち歩くことが要求される。
【０００６】
また、自宅または製品容器が置いてある他の場所から離れていると、所望の製品を必要時に使用できないことがある。
【０００７】
従来、より少量の各種パーソナルケア製品を運搬するために、「トラベルサイズ」の容器として知られている小型の製品容器が使用されてきた。しかしながら、前述の状況でトラベルサイズの製品を使用しても、現状問題の全部は解決されない。例えば、現行の手法では、個人がその日のその時に適した製品だけを探し出して使用することが要求される。トラベルサイズの製品を使用する場合も、数多くの独立した製品容器を携行する必要がある。また、数多くの独立した製品容器を携行し、朝に適した製品だけが必要な場合、適切な容器を探し出して確認し、それからこれらの製品だけから指定量を取り出す必要がある。これは、時間がかかって面倒である。午後または夜に別の組合せの製品が必要な場合、前述の作業を繰り返す必要がある。
【０００８】
さらに別の問題は、異なる活動に対してそれぞれの製品組合せが使用される場合があることである。一例として、特定個人が夏日の砂浜で使用する製品の組合せは、夜の都市で使用するのに適した製品とは全く異なっているだろう。適切な製品は、場所、気候、または気象条件によって変化することもある。
【特許文献１】
米国仮特許出願第６０／２６６，２２５号明細書
【特許文献２】
米国仮特許出願第６０／３１８，０５３号明細書
【発明の開示】
【発明が解決しようとする課題】
【０００９】
このように、指定量の複数のスキンケア製品を、小型、便利、衛生的、かつ整然とした形態で個人が運搬および使用できるようにする方法が必要とされている。
【００１０】
また、指定量の複数のスキンケア製品を、一日の特定の時間帯用にまとめた状態で運搬および使用できるようにする方法も必要とされている。また、指定量の複数のスキンケア製品を、特定種類の活動用にまとめた状態で運搬および使用できるようにする方法も必要とされている。
【００１１】
本セクションに記載されている手法は遂行可能なものであるが、必ずしも従前に着想または遂行されてきた手法ではない。したがって、本明細書に特に明記しない限り、本セクションに記載された手法は本明細書のクレームに対する先行技術ではなく、また、本セクションに記載されていることをもって先行技術と認められるものではない。
【課題を解決するための手段】
【００１２】
上記の必要、および以下の説明から明らかになる他の必要ならびに目標は、一態様においてスキンケア製品携帯器具を含む本発明で達成される。一態様において、本器具は、支持体カバーと、支持体カバーに剥離可能に付着させられる製品支持体と、製品支持体に形成された、間隔をあけて配置された複数の空洞と、空洞を覆う剥離可能なシールと、各空洞内の所定量のスキンケア液とを有する。
【００１３】
特徴の１つによれば、空洞のそれぞれに機能の異なるスキンケア液が入っている。別の特徴において、異なる各スキンケア液は、期間中に生じ得る異なるスキンケアニーズに対処する。
【００１４】
さらに別の特徴において、支持体カバーは、空洞が突出できる穴と、１つ以上の刻み線と、閉合タブを入れるスロットとを有する平坦なシートを含む閉合タブは、シートから外方向に延び出し、折り畳み可能な刻み線でシートにつながっている。刻み線に沿ってカバーを折り曲げ、閉合タブをスロットに差し込み、カバーでシートと空洞を剥離可能にふさぐことによって、製品支持体を収容および担持する、閉じたパッケージが形成される。関連した特徴において、第１および第２の別個の製品支持体が提供され、第１の製品支持体は、第１の時間中に使用するための第１のスキンケア製品セットを保持する第１の複数の空洞を担持し、第２の製品支持体は、第２の時間中に使用するための第２のスキンケア製品セットを保持する第２の複数の空洞を担持している。例えば、第１の複数の空洞は、朝または昼に使用するスキンケア製品を保持し、第２の部分は、午後または夜に使用するスキンケア製品を保持する。
【００１５】
さらに別の特徴において、製品支持体のシールは、すべての空洞を覆う、ただ１つの平坦な密封材シートを含む。さらに別の特徴において、シールは、第１の製品支持体の空洞を覆う第１の平坦なシートと、第２の製品支持体の空洞を覆う第２の平坦なシートとを含む。さらに別の特徴において、シールは、異なる１つずつの空洞の上に形成される複数の個別シールを含む。シールは、１度だけ剥離できるものであってもよいし、再封自在のものであってもよい。
【００１６】
別の態様によれば、スキンケア携帯器具は、支持体カバーと、第１の製品支持体と、第２の製品支持体とを有している。間隔をあけて配置される第１の複数の空洞が第１の製品支持体に形成され、間隔をあけて配置される第２の複数の空洞が第２の製品支持体に形成される。１つ以上の空洞の上に剥離可能なシールが付着させられる。第１の製品支持体の空洞内の第１のスキンケア製品セットの各製品は機能的に異なっており、朝の時間帯での使用に適している。第２の製品支持体の空洞内の第２のスキンケア製品セットの各製品は機能的に異なっており、夜の時間帯の使用に適している。
【発明の効果】
【００１７】
このように本器具は、一定期間にわたる個人のスキンケアに適したすべてのスキンケア製品を携行するための、小型で、効率的で、衛生的で、中身が漏れない装置を提供する。別の実施態様は、さまざまな個数とサイズと形状の空洞、さまざまな密閉様式、包装形態、ならびに期間または機能によって編成された少量製品を提供する。
【発明を実施するための最良の形態】
【００１８】
制限することを目的とするのではなく一例として、本発明を添付図面の図に示す。図中、同様の参照符号は同様の構成要素を示している。
【００１９】
スキンケア製品携帯器具を説明する。以下の記載では、本発明の十分な理解を得るために、説明上、数多くの特定細部が記されている。しかしながら、当業者には、これらの特定細部が無くても本発明が実施可能であることが明らかであろう。また、別の例では、本発明を不必要に分かりにくくしないために、周知の構造と装置がブロック図の形で示されている。
【００２０】
Ｉ．構造と機能の概要
一態様において、個人の日常のスキンケアニーズに効率よく応じるスキンケア製品携帯器具が提供される。この器具は、支持体カバーと、複数種類の指定量のスキンケア製品または予め測定された複数種類の少量スキンケア製品を支持する製品支持体とを有する。この器具は、小型で便利、使いやすく持ち運び可能である。この実施形態で、本器具は、丸１日に通常必要とされであろうスキンケア製品を薄いシングルパッケージで提供する。
【００２１】
別の実施形態は、例えば砂浜やスキー等、ユーザの特別活動に合わせて構成された特定スキンケア製品の選択セットを提供する。他の実施形態は、日中または夜といった１日のうちの特定の時間に適した製品の選択セットを提供する。さらに別の実施形態は、ヘアケアなど、スキンケア以外の用途の製品を支持する。
【００２２】
ある実施形態の小型で省スペースの形状は、種々の製品の複数容器を携行することが不便または無理な時と場合に使用するのに理想的である。実施形態は、１日から長期旅行まで、任意の所望期間にわたる特定または選択された機会に必要なタイプの製品の必要量を正確に携行する融通性をユーザに与える。この器具は、複数の製品を携行するときに製品がこぼれる危険を大幅に減少させる。この器具は、ユーザが使い終わると処分されてもよいし、リサイクルされてもよい。
【００２３】
ＩＩ．携帯器具の例
図１は、スキンケア製品携帯器具の第１の実例としての実施形態の、折り畳まれていない状態の平面図である。この実例としての実施形態において、スキンケア製品携帯器具１００は一般に、支持体カバー１００Ａと製品支持体とを有している。支持体カバー１００Ａは、フロントカバー１０２と、第１の支持体カバー部１０４Ａと、第２の支持体カバー部１０４Ｂとを含んでいる。製品支持体の一部は、カバー部１０４Ａ、１０４Ｂに設けられた対応する穴から突出する複数の空洞１０６によって画定されている。
【００２４】
両カバー部１０４Ａ、１０４Ｂは、板紙、厚紙、堅紙等のシート材料から一体型に形成されている。各支持体カバー部１０４Ａ、１０４Ｂは上面と下面１０１、１０３を有し、上面１０１には、空洞１０６内のスキンケア製品の内容を識別するか、またはスキンケア製品の使用目的等を識別するマークが記されていても良い。各支持体カバー部１０４Ａ、１０４Ｂは複数の穴を有し、この穴から製品支持体の複数の空洞１０６が突出している。空洞は所定量のスキンケア製品を保有する。
【００２５】
図２Ａに関して本願明細書に一例が詳述されている空洞１０６が形成されている製品支持体は、上面１０１を見たときに上面の対応する穴から空洞１０６が見えるように下面１０３に剥離可能に付着させられている。一実施形態において、穴は、支持体カバーに打ち抜かれた開口部である。一例を説明するために、図１では、穴と空洞が楕円と円の構成で示されているが、そのような構成である必要はなく、空洞は、所定量の製品を収容するに足りるものであれば、どのような所望の装飾的な形状であってもよく、また、穴は、対応するものであれば、どのような所望の装飾的な形状であってもよい。
【００２６】
フロントカバー１０２と両支持体カバー部１０４Ａ、１０４Ｂは、製造中に器具を折り畳んで組み立てるのに使用されてもよい刻み線１０８Ａ、１０８Ｂ、１１２によってさらに画定されている。器具１００は、フロントカバー１０２から外方向に延び、このフロントカバーに含まれているか、または隣接している刻み線１１２によって一部分が画定されている略長方形のタブ１１０を含んでいてもよい。器具１００は、刻み線１０８Ｂ上に位置合わせされ、タブ１１０を受け入れるように形成された直線状のスリット１１６を、シート１０１に含んでいてもよい。
【００２７】
こうして製品支持体が各支持体カバー部１０４Ａ、１０４Ｂの後ろ側に取り付けられ、製品支持体の空洞１０６に製品が充填され、適切な密封材で密封された時点で、刻み線１０８Ａ、１０８Ｂ、１１２に沿って器具１００を折り畳み、それによって、支持体カバー部１０４Ｂの末端部１０８Ｃが支持体カバー部１０４Ａの下側で刻み線１０８Ａに合うように折り畳まれ、フロントカバー１０２が支持体カバー部１０４Ｂを覆うように折り畳まれ、タブ１１０をスリット１１６に差し込むことによってパッケージが閉じられた配置に保持されるようにしてもよい。この配置で、開閉自在の小型パッケージが形成される。空洞１０６内の製品を使用するには、ユーザは、スリットから閉合タブを引き抜くことによってパッケージを開き、すなわち広げ、下記に記載のミシン目の一方または両方を裂開し、一方または両方の製品支持体を取り外し、一方または両方の製品支持体から密封材を剥離し、製品を塗布する。支持体カバーは、保存のために再び折り畳まれてもよいし、あるいは、ユーザが一方または両方の製品支持体を別途保持し、支持体カバーを処分してもよい。
【００２８】
支持体カバー部１０４Ａ、１０４Ｂは、接着剤、または器具１００を密閉する他の手段を含んでいてもよい。ミシン目１１４ならびに器具の反対側にあるミシン目１１８は、ユーザによって両ミシン目１１４、１１８に沿って分離されて開かれるまで密閉状態を保つ第１の支持体カバー部１０４Ａの輪郭線を形成している。同様に、第２の支持体カバー部１０４Ｂを開きやすくするための、異なる一対のミシン目１１５、１１７が設けられている。したがって、ユーザは、ミシン目を選択的に切り離すことにより、ユーザは製品支持体の一方だけを器具１００から取り外し、他方をその対応する支持体カバーの所定の位置に付着させたままにしておくこともできる。
【００２９】
この実例としての実施形態では、器具１００は、２つの支持体カバー部１０４Ａ、１０４Ｂのそれぞれが、対応する空洞１０６付き製品支持体を有するように構成されているが、別の実施形態では、任意の個数のそのような支持体カバー部と、それに対応する製品支持体であってもよいし、また、ただ１つの支持体カバー部と、それに対応する製品支持体であってもよい。一実施形態において、第１の支持体カバー部１０４Ａが朝または昼用のスキンケア製品と関連付けられ、第２の支持体カバー部１０４Ｂが午後または夜用のスキンケア製品と関連付けられる。
【００３０】
製品支持体は、水を通さない材料、もしくは溶剤または他の液体を通さない材料で作製してもよい。製品支持体は、ポリマー材料、プラスチック、フォイル、または製品支持体によって支持されるスキンケア製品のための漏れにくく開きやすい封入物を形成するの適した他の材料から作製してもよい。一実施形態において、製品支持体は、製品の空洞１０６が形成されたポリスチレンシートと、密封フォイル層または片面粘着紙または薄膜プラスチックと、を有する。
【００３１】
製品支持体の空洞１０６は概して浅くてもよい。具体的な一実施形態では、空洞の数が約３〜１０個であるが、空洞の数はいくつであってもよい。空洞のサイズは重要ではない。具体的な一実施形態では、各空洞のおおよその深さは、約１〜６ｍｍである。
【００３２】
また、製品支持体の支持体カバーの形状、各空洞の形状、および製品支持体の空洞の配置は重要ではなく、空洞の形状と配置は本質的に飾りにすぎない。対応する穴の形状と配置も同様に飾りにすぎない。空洞は、楕円形、円形、正方形、三角形、八角形、長方形、または要望される他の任意形状に形成できる。空洞は、要望される任意のパターンまたは形に配置してもよいし、支持体パッケージの縁端に対して直交するように位置合わせされてもよいし、またはそのような縁端に対して或る角度を形成するように配置されてもよい。支持体カバーまたは製品支持体などの器具の構成要素は、要望される任意の位置に、商標、銘柄、ロゴ、または他の識別表示を備えることができる。また、そのような構成要素には、製品支持体に入れるスキンケア製品の原料成分を同定する情報が記載されてもよい。
【００３３】
各製品支持体は、空洞を覆う剥離可能な１つ以上のシールを有し、所定量のスキンケア製品が各空洞に供給される。一実施形態において、各支持体カバー部１０４Ａ、１０４Ｂと関連する、異なる製品支持体の空洞１０６セットの上に、第１および第２のシールが付着させられる。このシールは、少なくとも１度剥離することができる。また、水を通さないので、空洞１０６内の製品は完全密封されて衛生的に封じ込められる。例えば、プルタブ式のシール、ポリエチレンまたはポリプロピレンフィルム、金属フォイル、および同様の密封された剥離可能な材料が使用されてもよい。シールは粘着剤で接着されてもよいし、収縮包装シールでさらに被覆されてもよい。
【００３４】
シールは、ただ１つの密封層を有するものであってもよいし、異なる１つの空洞の上に１つずつ形成される複数の個別シールを含むものであってもよい。さらの別の実施形態において、シールは、第２の密封層の上に重なる第１の密封層を含んでいてもよい。例えば、第１の密封層が薄膜プラスチックで、第２の密封層がフォイル層であってもよい。この実施形態では、ユーザは、所望のスキンケア製品と関連する第１の密封層の全部または一部を取り除き、次に所望の製品と関連する第２の層の一部に穴をあけるか取り去ることによって製品を使用できる。
【００３５】
あるいは、第２の密封層は、空洞に位置合わせされ、空洞と対応している穴を有する基材を有していてもよい。これにより、ユーザが開けなくてはならない第２のシールを組み付けずに漏れにくさを向上できる。この別形態では、ユーザは、所望の製品と関連する第１の密封層の全部または一部だけを除去することによって所望の製品に接近できる。
【００３６】
さらに別の実施形態において、各空洞１０６は、製品支持体の空洞を包囲する個々の周囲ミシン目セットによって画定される。そのような実施形態では、周囲ミシン目を切り離すことによって、特定の１つの空洞１０６と関連する製品支持体の小部分を、製品支持体の他の部分から個別に分離される製品支持体のシールは、所望の製品と関連するシールの一部を取り除きやすくするために同様の個別ミシン目セットを有してもよい。
【００３７】
図２Ａは、スキンケア製品携帯器具の第２の実例としての実施形態の、折り畳まれていない状態の平面図である。図２Ａは、実例としての実施形態として、スキンケア製品携帯器具２００の全体のサイズと形状、およびスキンケア製品用の空洞２０６および対応する穴の一般的なサイズ、形状、ならびに構成を示す。器具２００は、第１および第２の支持体カバー部２０２Ａ、２０２Ｂと、第１および第２の内部カバー部２０４Ａ、２０４Ｂと、フロントカバー２０９と、閉合タブ２０９Ａとから成る支持体カバー２００Ａを一般に有している。
【００３８】
第１および第２の支持体カバー部２０２Ａ、２０２Ｂ、第１および第２の内部カバー部２０４Ａ、２０４Ｂ、フロントカバー２０９、および閉合タブ２０９Ａを、刻み線２０８Ａ、２０８Ｂ、２０８Ｃ、２０７に沿って折り畳み、パッケージ２００を事実上「巻き上げる」ことによって開閉自在の小型パッケージを形成してもよい。例えば、内部カバー部２０４Ｂが内部カバー部２０４Ａの下に折り畳まれ、次に内部カバー部２０４Ａ、２０４Ｂが一体として支持体カバー部２０２Ａの下に折り畳まれ、次に内部カバー部２０４Ａ、２０４Ｂおよび支持体カバー部２０２Ａが一体として支持体カバー部２０２Ｂの下に折り畳まれ、フロントカバー２０９が支持体カバー部２０２Ｂの上に折り畳まれ、スリット２１６がフロントカバー２０９の閉合タブ２０９をぴったりと受け入れて器具を閉じ、器具を閉じた形態に保持する。
【００３９】
支持体カバー部２０２Ａ、２０２Ｂは複数の穴を有していてもよく、この複数の穴から、１つ以上の製品支持体に設けられた対応する複数の空洞２０６が突出し、スキンケア製品を受容または保持する。図２Ａの例において、各空洞内の製品の種類は、ラベル、または空洞２０６および／または対応する穴に隣接して印刷または配置された他のものによって示されてもよい。一実施形態において、  支持体カバー部２０２Ａは、朝または昼間（ａ．ｍ．）用の製品を保持する空洞セットを有する第１の製品支持体と関連しており、支持体カバー部２０２Ｂは、午後または夜（ｐ．ｍ．）用の製品を保持する空洞セットを有する第２の製品支持体と関連している。内部カバー部２０４Ａ、２０４Ｂとフロントカバー２０９は１つ以上の領域に、名称、ロゴ、または他の文字または図形情報、もしくは表示、もしくは原料成分が示されていてもよく、同様に、支持体カバーまたは製品支持体のどちらに原料成分情報または他の表示を記載することもできる。
【００４０】
両支持体カバー部２０２Ａ、２０２Ｂは、それぞれの側方ミシン目対２１７Ａと２１９Ａおよび２１７Ｂと２１９Ｂをさらに含んでいる。刻み線２０８Ｂ、２０８Ｃの左右横方向の延在部にミシン目が入っていてもよい。したがって、器具２００が密封されて巻き上げられた配置状態のとき、ユーザは、スリット２１６からフロントカバー２０９の閉合タブ２０９Ａを取り出し、第１対のミシン目２１７Ａ、２１９Ａまたは第２対のミシン目２１７Ｂ、２１９Ｂと、刻み線２０８Ｂ、２０８Ｃのミシン目入り横方向延在部とに沿って切り離して一方または両方の支持体カバー部２０２Ａ、２０２Ｂを分離することによって器具を開く。次にユーザは、一方または両方の支持体パッケージを一方または両方の支持体カバー部から引き離し、次に一方または両方の支持体パッケージを開けてスキンケア製品を得る。
【００４１】
図２Ｂは、図２Ａの実施形態と組み合わせて使用できる製品支持体の上面図である。具体的な一実施形態において、図２Ｂの構成の第１の製品支持体が支持体カバー部２０２Ａに剥離可能に付着させられ、同じ構成の第２の製品支持体が支持体カバー部２０２Ｂに剥離可能に付着させられる。製品支持体２２１は水を通さないシート２２０を一般に有し、このシート２２０には、上方向に突出する泡のような製品用空洞２０６が形成されている。シートに形成され、他の空洞から間隔をあけて配置された、この実例としての実施形態の空洞は、それぞれが楕円形を含んでいるが、楕円形の形状である必要はない。シート２２０の下側は、フォイル、薄膜プラスチック等を含み得るシール２２２で覆われている。
【００４２】
図２Ｃは、図２Ｂの線２Ｃ−２Ｃについて切った、図２Ｂの製品支持体の側面図である。図２Ｃは、図２Ｂの空洞２０６Ａのおおよその形状の一例を示す。この例では、空洞２０６Ａがシート２２０に形成され、製品を入れることができる泡状またはドーム状の空洞を形成するようにシート２２０から上方に延び、さらにシール２２２で覆われている。
【００４３】
図２Ｄは、図２Ｂの線２Ｄ−２Ｄについて切った、図２Ｂの製品支持体の側面図であり、支持体カバーおよび関連する製品支持体と、製品用空洞との関係を示す。図２Ａの第１の支持体カバー部２０２Ａは、シート２２０がシール２２２に対してぴったり重なるように製品支持体２２１に付着させられており、よって空洞２０６Ａが支持体カバー部２０２Ａの穴２３２から突出している。
【００４４】
各空洞２０６には、選択または予め測定された量の特定種類のスキンケア製品２０が入っている。具体的な一実施形態において、異なる各空洞２０６には機能的に異なるスキンケア製品が入っており、各製品の量は特定の期間または活動のために１回で使い切るのに十分な量である。このように、本携帯器具の各製品支持体のさまざまな空洞には、１日など、ある期間に有用または必要なスキンケア製品が入っている。
【００４５】
一実施形態において、複数ある空洞の各空洞には、クレンジング剤、トーニング・ローション、モイスチャライジング・ローション、アイケア製品、およびリップクリームなどの液体または半流動体のスキンケア製品が入っている。他の実施形態において、空洞には、化粧品、ヘアケア製品、他の個人用ケア製品、薬剤、または他の物質が入っていてもよい。
【００４６】
前述のいずれの実施形態においても、スキンケア製品携帯器具の基板全体を真空包装または収縮包装して、１個または複数個入りのパックで売り出すこともできる。支持体カバー、製品支持体、および携帯器具のそのようなカードまたはパッケージの他の構成要素は、例えば、市販の材料またはリサイクル製品から製造してもよい。器具全体または器具の構成要素は、使い捨て式であっても、再使用可能であってもよい。
【００４７】
本願明細書に記載されている器具の全体サイズは、長さと幅を大幅に変更してもよい。一実施形態において、支持体カバー部２０２Ａ、２０２Ｂは、約３インチ（７．５  ｃｍ）から約７インチ（１７．５  ｃｍ）またはもっと大きい寸法を有する。製品支持体が挿入された状態の支持体カバー部の厚さは、一般に、長さまたは幅寸法に対して小さい。一実施形態において、器具の厚さは約１／４インチ（６ｍｍ）である。しかしながら、前述の寸法は重要ではなく、記載された値から大幅に変えてもよい。
【００４８】
図２Ｅは、折り畳まれた、すなわち閉じられた状態の、図２Ａの実施形態の外側の図である。この配置では、フロントカバー２０９とその表示が、支持体カバー部２０２Ａの或る密封された製品用空洞２０６と同様、パッケージ外側に見えている。閉じられた状態のとき、閉合タブ２０９Ａをスリット２１６から取り出し、それからミシン目２１７Ａ、２１９Ａに沿って切り離して第１の支持体カバー部２０２Ａ内の第１の製品支持体に接近することによって、器具を開くことができる。その後、ユーザは、スキンケア製品を得るためにシール２２２を破断または裂開してもよい。
【００４９】
支持体カバー部２０２Ａ、２０２Ｂの側部は、最初に使用されるまで密封状態が保たれるパッケージを形成するために、表面に接着剤を有していてもよい。その後、ミシン目２１７Ａ、２１９Ａ、２１７Ｂ、２１９Ｂがあることにより、これらのミシン目に沿って切り離すことによって、閉じられて密封されたパッケージを開くことができる。接着剤は、永久的なものであっても、再封可能なものであってもよい。
【００５０】
製品支持体の空洞のシールは、ポリマー、プラスチック、または衛生的で確実に密封できる他の適切な材料を含むことができる。各カバーの中に複数のシールが配設されていてもよく、これらのシールは、シート２２０にカバーがかけられるときに、空洞２０６に対応させて空洞２０６の真下に合わせて配置される各シールは、剥離可能または取り外し可能な別々のシールであってもよいし、または、シール全体を一体としてユーザが取り外せるようにシール２２２と一体式に連続させて形成されてもよい。シールは、関連する空洞内の製品の機能が材料の色によって示唆または示されるように色分けされた透明な材料で形成されてもよい。
【００５１】
さらの別の実施形態において、シール２２２は、第２の密封層の上に重なる第１の密封層から成る組合せを含むこともできる。例えば、第１の密封層が薄膜プラスチックで、第２の密封層がフォイル層であってもよい。あるいは、第２の密封層は、空洞に位置合わせされ、空洞と対応している穴を有する基材を含むこともできる。
【００５２】
同様に、空洞２０６は、空洞内の製品を識別するために線、色、図形、または他の要素によって画定された、間隔をあけて配置されている複数の領域に配置されてもよい。
【００５３】
図３Ａと図３Ｂは、スキンケア製品携帯器具７００の第３の実施形態を示す。図３Ａは、器具７００の平面図である。支持体カバー７０４は複数の穴を有し、この穴から、支持体カバー７０４の下に剥離可能に付着された製品支持体の製品用空洞７０６が突出する。製品用空洞７０６および支持体カバー７０４に設けられた対応する穴は、別の構成とサイズと形状に整えられる。図式境界線７０８によって支持体カバー７０４の第１および第２の部分を画定してもよい。第１対のミシン目７１０Ａ、７１２Ａと境界線７０８のミシン目の部分を破断して第１の製品支持体を取り除くか、または、第２対のミシン目７１０Ｂ、７１２Ｂと境界線７０８のミシンメの部分を破断して第２の製品支持体を取り除くことによって、製品支持体へ接近できる。
【００５４】
図３Ｂは支持体カバー７０４の平面図であり、名称、ロゴ、または他の文字または図形情報を入れることができる表面７０３を示す。いくつかの実施形態において、表面７０３はそのような図形情報により、購買時に消費者が目にする最初の表面となるであろうから、器具７００の「上」面と呼んでもよいが、「上」という用語は便利のために使用されるものにすぎず、何ら制限的なものではなく、また、器具７００に要求される姿勢を示すものでもない。
【００５５】
図４Ａと図４Ｂは、スキンケア製品携帯器具８００の第４の実施形態を示す。図４Ａは、第１および第２の部分８０４Ａ、８０４Ｂを有する支持体カバー８０２を備えた器具８００の平面図である。各部分８０４Ａ、８０４Ｂは複数の穴を有し、これらの穴から、別の構成、サイズ、形状の製品用空洞８０６が突出している。
【００５６】
図４Ｂは図４Ａの実施形態の平面図であり、名称、ロゴ、または他の文字または図形情報を入れることもできる表面８０３を有する支持体カバー８０２を示す。
【００５７】
図５Ａと図５Ｂは、スキンケア製品携帯器具の第５の実施形態を示す。図５Ａは、異なる時間または活動に適したスキンケア製品とそれぞれ関連していてもよい第１の部分９０４Ａと第２の部分９０４Ｂとを有する支持体カバー９０２を一般に備えている、スキンケア製品携帯器具９００の平面図である。図５Ａは、製品９０６の構成とサイズと形状および支持体カバー９０２の全体形状とサイズの別の例を示す。図５Ｂは、図５Ａの器具９００の支持体カバー９０２平面図である。支持体カバー９０２は、名称、ロゴ、または他の文字または図形情報を入れることもできる表面９０３を有していてもよい。
【００５８】
一般に、図４Ａ〜５Ｂまでの実施形態の構造および機械的配置は同様である。しかしながら、そのような各実施形態の製品用空洞の形状または配置が異なっている。他の形状および配置を実現することも可能である。
【００５９】
ＩＩＩ．拡張と変更
以上、本発明をその具体的な実施形態を参照しながら説明した。しかしながら、本発明のより広い精神および範囲から逸脱せずにさまざまな修正および変更を本発明に施せることが明らかになるであろう。したがって、本明細書および図面は、制限を課すものではなく実例を示すものという観点で認識されるべきものである。
【図面の簡単な説明】
【００６０】
【図１】スキンケア製品携帯器具の第１の実施形態の、折り畳まれていない状態の平面図である。
【図２Ａ】スキンケア製品携帯器具の第２の実施形態の、折り畳まれていない状態の平面図である。
【図２Ｂ】図２Ａの実施形態で使用される製品支持体の上面図である。
【図２Ｃ】図２Ｂの線２Ｃ−２Ｃについて切った、図２Ｂの製品支持体の側面図である。
【図２Ｄ】図２Ｂの線２Ｄ−２Ｄについて切った、図２Ｂの製品支持体の側面図である。
【図２Ｅ】折り畳まれた形態の、図２Ａの実施形態の外側の上面図である。
【図３Ａ】スキンケア製品携帯器具の第３の実施形態の第１の面の平面図である。
【図３Ｂ】図３Ａの器具の第２の面の平面図である。
【図４Ａ】スキンケア製品携帯器具の第４の実施形態の第１の面の平面図である。
【図４Ｂ】図４Ａの器具の第２の面の平面図である。
【図５Ａ】スキンケア製品携帯器具の第５の実施形態の第１の面の平面図である。
【図５Ｂ】図５Ａの器具の第２の面の平面図である。
【符号の説明】
【００６１】
１００    スキンケア製品運搬器具
１００Ａ    支持体カバー
１０１    上面
１０２    フロントカバー
１０３    下面
１０４Ａ    第１の支持体カバー部
１０４Ｂ    第２の支持体カバー部
１０６    空洞
１０８Ａ    刻み線
１０８Ｂ    刻み線
１０８Ｃ    末端部
１１０    タブ
１１２    刻み線
１１４    ミシン目
１１５    ミシン目
１１６    スリット
１１７    ミシン目
１１８    ミシン目
２００    スキンケア製品運搬器具
２００Ａ    支持体カバー
２０２Ａ    第１の支持体カバー部
２０２Ｂ    第２の支持体カバー部
２０４Ａ    第１の内部カバー部
２０４Ｂ    第２の内部カバー部
２０６    空洞
２０７    刻み線
２０８    刻み線
２０９    フロントカバー
２０９Ａ    閉合タブ
２１６    スリット
２１７    ミシン目
２１９    ミシン目
２２０    シート
２２１    製品支持体
２２２    密封材
２３２    穴
７００    スキンケア製品運搬器具
７０３    表面
７０４    支持体カバー
７０６    製品用空洞
７０８    図式境界線
７１０    ミシン目
７１２    ミシン目
８００    スキンケア製品運搬器具
８０３    表面
８０４Ａ    第１の部分
８０４Ｂ    第２の部分
９００    スキンケア製品運搬器具
９０２    支持体カバー
９０３    表面
９０４Ａ    第１の部分
９０４Ｂ    第２の部分
【図２Ａ】
2004524894.tif 000002
【図３Ａ】
2004524894.tif 000003
【図４Ａ】
2004524894.tif 000004
【図５Ａ】
2004524894.tif 000005
【国際公開パンフレット】
2004524894.tif 000006
2004524894.tif 000007
2004524894.tif 000008
2004524894.tif 000009
2004524894.tif 000010
2004524894.tif 000011
2004524894.tif 000012
2004524894.tif 000013
2004524894.tif 000014
2004524894.tif 000015
2004524894.tif 000016
2004524894.tif 000017
2004524894.tif 000018
2004524894.tif 000019
2004524894.tif 000020
2004524894.tif 000021
2004524894.tif 000022
2004524894.tif 000023
2004524894.tif 000024
2004524894.tif 000025
2004524894.tif 000026
2004524894.tif 000027
2004524894.tif 000028
2004524894.tif 000029
2004524894.tif 000030
【国際公開パンフレット（コレクトバージョン）】
2004524894.tif 000031
【国際調査報告】
2004524894.tif 000032